【手続補正書】
【提出日】平成18年1月17日(2006.1.17)
【手続補正１】
【補正対象書類名】明細書
【補正対象項目名】特許請求の範囲
【補正方法】変更
【補正の内容】
【特許請求の範囲】
【請求項１】
ＯＦＤＭ方式の信号のレベルを検出する検出手段と、
前記ＯＦＤＭ方式の信号のレベルを調整する自動利得制御手段と、
前記検出手段が検出した検出レベルに基づいて受信環境を判断し、前記受信環境に対応して前記自動利得制御手段の利得制御条件を設定する制御手段と、
を備え、
前記自動利得制御手段は、設定された前記利得制御条件の下で、前記検出手段が検出した検出レベルに応じて前記ＯＦＤＭ方式の信号のレベルを調整することを特徴とするＯＦＤＭ方式受信装置。
【請求項２】
前記制御手段は、前記検出レベルの変動により前記受信環境の変化を判定し、前記受信環境が変化した場合に前記自動利得制御手段の利得制御条件の設定を変更することを特徴とする請求項１に記載のＯＦＤＭ方式受信装置。
【請求項３】
前記制御手段は、前記検出レベルが所定条件に該当するか否かを判別することにより前記受信環境を判断することを特徴とする請求項１又は２に記載のＯＦＤＭ方式受信装置。
【請求項４】
前記制御手段は、前記検出手段が過去に検出した検出レベルの平均値に基づいて前記所定条件を決定することを特徴とする請求項３に記載のＯＦＤＭ方式受信装置。
【請求項５】
前記制御手段は、一定周期毎に前記受信環境を判断することを特徴とする請求項１乃至４のいずれか１項に記載のＯＦＤＭ方式受信装置。
【請求項６】
前記制御手段は、前記受信環境に応じて前記受信環境の判断タイミングを変更することを特徴とする請求項１乃至４のいずれか１項に記載のＯＦＤＭ方式受信装置。
【請求項７】
前記制御手段は、前記利得制御条件として、利得制御の周期、レベル検出の周期、利得制御のレベル制御範囲、利得制御量の少なくとも1つを制御することを特徴とする請求項１乃至６のいずれか１項に記載のＯＦＤＭ方式受信装置。
【手続補正２】
【補正対象書類名】明細書
【補正対象項目名】０００３
【補正方法】変更
【補正の内容】
【０００３】
高品位の通信を可能にする通信方式として、ＯＦＤＭ（Orthogonal Frequency Division Multiplex：直交周波数分割多重）方式が知られており、更に、このＯＦＤＭ方式を利用したデジタル音声放送（Digital Audio Broadcasting：ＤＡＢ）システムの研究開発が進められている。
【手続補正３】
【補正対象書類名】明細書
【補正対象項目名】００１２
【補正方法】変更
【補正の内容】
【００１２】
上記目的を達成するため本発明は、ＯＦＤＭ方式の信号のレベルを検出する検出手段と、上記ＯＦＤＭ方式の信号のレベルを調整する自動利得制御手段と、上記検出手段が検出した検出レベルに基づいて受信環境を判断し、上記受信環境に対応して上記自動利得制御手段の利得制御条件を設定する制御手段と、を備え、上記自動利得制御手段は、設定された上記利得制御条件の下で、上記検出手段が検出した検出レベルに応じて前記ＯＦＤＭ方式の信号のレベルを調整することを特徴とする。さらに、上記ＯＦＤＭ方式受信装置において、上記制御手段は、上記検出レベルの変動により上記受信環境の変化を判定し、上記受信環境が変化した場合に上記自動利得制御手段の利得制御条件の設定を変更することを特徴とする。
【手続補正４】
【補正対象書類名】明細書
【補正対象項目名】００１３
【補正方法】変更
【補正の内容】
【００１３】
また、上記ＯＦＤＭ方式受信装置において、上記制御手段は、上記検出レベルが所定条件に該当するか否かを判別することにより上記受信環境を判断することを特徴とする。さらに、上記ＯＦＤＭ方式受信装置において、上記制御手段は、上記検出手段が過去に検出した検出レベルの平均値に基づいて上記所定条件を決定することを特徴とする。
【手続補正５】
【補正対象書類名】明細書
【補正対象項目名】００１４
【補正方法】変更
【補正の内容】
【００１４】
また、上記ＯＦＤＭ方式受信装置において、上記制御手段は、一定周期毎に上記受信環境を判断することを特徴とする。さらに、上記ＯＦＤＭ方式受信装置において、上記制御手段は、上記受信環境に応じて上記受信環境の判断タイミングを変更することを特徴とする。
【手続補正６】
【補正対象書類名】明細書
【補正対象項目名】００２０
【補正方法】変更
【補正の内容】
【００２０】
本受信装置１２は、放送局等の送信側から到来する電波を受信する受信アンテナＡＮＴと、受信アンテナＡＮＴからのＲＦ信号ＳRFを中間周波信号ＳIFに変換するＲＦ部１３と、その中間周波信号ＳIFをデジタル信号に変換するＡ／Ｄ変換器１４と、デジタル信号から同相成分信号Ｉと直交成分信号Ｑを生成するＩＱ分離部１５と、ＡＧＣ回路１６、フーリエ変換部１７、差動復号化部１８、及びチャンネルデコード部１９を備えて構成されている。
【手続補正７】
【補正対象書類名】明細書
【補正対象項目名】００２８
【補正方法】変更
【補正の内容】
【００２８】
演算部２２は、信号レベル検出部２１からの検出結果に基づいてＩＱ分離部１５の出力レベルの変動分を調べ、更に、制御部２２から供給される利得制御用のパラメータと変動分とをマッピングすることにより、出力レベルの変動を抑制するためのフィルタ係数を生成する。そして、生成したフィルタ係数によってＡＧＣ回路１６のＡＧＣ利得を調整する。更に、制御部２３から演算部２２には、ＡＧＣ回路１６のＡＧＣ利得を調整すべきタイミングを指令する制御信号が供給され、演算部２２はこの制御信号に従った所定タイミングでＡＧＣ回路１６のＡＧＣ利得を調整し、そのレベル調整した同相成分信号Ｉと直交成分信号Ｑをフーリエ変換部１７へ出力させる。
【手続補正８】
【補正対象書類名】明細書
【補正対象項目名】００３６
【補正方法】変更
【補正の内容】
【００３６】
すなわち、制御部２３は、信号レベル検出部２１から順次供給されるレベル検出結果の平均値を履歴として記憶し、新規にレベル検出結果が供給されると、上記差分値を求めて基準範囲内に収まっているか否か判定する。基準範囲内に収まっているときには、履歴情報としての平均値を演算して再び記憶する。
【手続補正９】
【補正対象書類名】明細書
【補正対象項目名】００３７
【補正方法】変更
【補正の内容】
【００３７】
そして、新規に供給されたレベル検出結果に対応する上記差分値が基準範囲内に収まっているときには、今までＡＧＣ回路１６に設定されているＡＧＣ制御条件を維持すべく信号レベル検出部２１と演算部２２に対して指令する。
【手続補正１０】
【補正対象書類名】明細書
【補正対象項目名】００３８
【補正方法】変更
【補正の内容】
【００３８】
本実施形態の制御部２３には、ＡＧＣ制御条件として、上記したＡＧＣ制御すべきタイミング、信号レベル検出部２１の出力レベル検出用キャプチャレンジ、ＡＧＣ回路１６の可変利得制御量等が決められており、新規に供給されたレベル検出結果に対応する上記差分値が基準範囲内に収まっているときには、これらのＡＧＣ制御条件を維持する。
【手続補正１１】
【補正対象書類名】明細書
【補正対象項目名】００４２
【補正方法】変更
【補正の内容】
【００４２】
一方、新規に供給されたレベル検出結果に対応する上記差分値が基準範囲内に収まらないときには、制御部２３は、受信環境が変化したと判断して、今までに求めたレベル検出結果の平均値をクリアし、新たな平均値の演算を開始する。更に、今までＡＧＣ回路１６に設定されているＡＧＣ制御条件を変更し、変化した受信環境に適応する新たなＡＧＣ制御条件を設定する。
【手続補正１２】
【補正対象書類名】明細書
【補正対象項目名】００４４
【補正方法】変更
【補正の内容】
【００４４】
例えばフェージング環境下で受信し、その結果、レベル検出結果に対応する上記差分値が基準範囲内に収まらなくなったときには、信号レベル検出部２１の出力レベル検出用キャプチャレンジを広げるとともに、ＡＧＣ回路１６の可変利得制御量を拡大し、そして、ＡＧＣ制御すべきタイミングを、図４に示すように、全てのガードインターバルＧＩの期間内においてＡＧＣ制御するように切り換えることにより、不安定な受信環境下でも迅速なＡＧＣ制御を行うようにする。
【手続補正１３】
【補正対象書類名】明細書
【補正対象項目名】００４５
【補正方法】変更
【補正の内容】
【００４５】
更に、再び新規に供給されたレベル検出結果に対応する上記差分値が基準範囲内に収まることとなると、制御部２３は、受信環境が安定したと判断して、今までに求めた平均値をクリアし、新たな平均値を演算する等の処理を行って、図３（ａ）に示したように、安定した受信環境下に対応したＡＧＣ制御に復帰する。
【手続補正１４】
【補正対象書類名】明細書
【補正対象項目名】００４８
【補正方法】変更
【補正の内容】
【００４８】
尚、以上の実施形態の説明では、ガードインターバルＧＩの期間内においてＡＧＣ制御する場合を述べたが、実際の応用態様に応じて、ガードインターバルＧＩの期間以外、すなわち復調すべきシンボルの期間内でＡＧＣ制御してもよい。すなわち、制御部２３がフェージング環境下などの不安定な受信環境を判定すると、図５に示すように、復調すべきシンボルの期間内でＡＧＣ制御し、ＡＧＣ制御の周期をより細かくする（分解能を上げる）ようにしてもよい。これにより、急激に到来電波の強度が変動するような場合でも、受信環境に応じて迅速なＡＧＣ制御を行うことができる。